(57)【要約】      （修正有）【課題】電話の受話器から発せられる相手の音声を明瞭に録音でき、且つその音声を明瞭に聞き取れる録音用耳付けマイクを提供する。【解決手段】外耳管Ｈ内へ先端部から差し込み可能とする筒状の外耳道挿入部１２の基部に外耳管Ｈの径よりも大きい径のフランジ部１３を一体的に形成し、外耳道挿入部１２には、電話の受話器からの音波の進行を妨害しないように耳介Ｍの外側と外耳管Ｈ内の空洞とを直通させた筒状の開口部４を形成する。フランジ部１３には開口部４を覆わないように肉厚のマイク支持部３を一体的に突設して、そのマイク支持部３内にマイク収納空間６を形成し、このマイク収納空間６にマイク装置１１をマイク受音面５が外側向きになるように収納し、このマイク装置１１にマイク受音面５で捕らえた音の電気信号を録音機に送るための電気コード７を接続する。【選択図】図３
0003135384.tif 000002
【実用新案登録請求の範囲】
【請求項１】
耳介の外側と外耳道とを直通させて受話器からの音波を導く開口部を備えるとともに耳に装着可能とした耳係止手段と、該耳係止手段に前記開口部を覆わないように設けられたマイク支持部とを一体的に形成し、
前記マイク支持部にはマイク収納空間を設けて、前記マイク収納空間に電気コードを介して外部の録音機に回路接続可能としたマイク装置をマイク受音面が外側向になるように装着したことを特徴とする録音用耳付けマイク。
【請求項２】
耳係止手段が、外耳管内に先端部から差し込み可能とする筒状の外耳道挿入部の基部に外耳管の径よりも大きい径のフランジ部を一体的に形成した外耳道挿入型であることを特徴とする請求項１に記載の録音用耳付けマイク。
【請求項３】
耳係止手段が、耳朶上部の窪みに嵌合する形状に形成した耳朶上掛部に、耳介の外側と外耳道とが連通するように開口部を形成した耳朶上掛型であることを特徴とする請求項１に記載の録音用耳付けマイク。
【請求項４】
耳係止手段が、耳介の付け根を取り巻く輪状の耳掛け輪部を形成した耳掛け輪型であること特徴とする請求項１に記載の録音用耳付けマイク。
【請求項５】
耳係止手段及びマイク支持部を柔軟な樹脂材で一体的に形成したことを特徴とする請求項１から４のうちいずれかに記載の録音用耳付けマイク。
【考案の詳細な説明】
【技術分野】
【０００１】
本考案は録音機に接続し、耳に装着して使用するマイクに関する。
【背景技術】
【０００２】
電話の受話器から発せられる音声を耳で聞きつつ録音できるようにするために、音声発生源である受話器に近い位置となる耳に装着して使用するマイクロホン装置が下記特許文献に開示されている。
該マイクロホン装置は受話器から発信された通話相手の音声が耳に入るようにマイクロホンユニットを挟んで耳介の外側と外耳道とを連通させた構造となっている。
【特許文献１】特開２００５−２４４６４５号公報
【考案の開示】
【考案が解決しようとする課題】
【０００３】
しかし、上記特許文献１のマイクロホン装置は外側と外耳道とを連通させてはいるが、受話器から発信された相手の音声がマイクロホンユニットで一旦遮られてしまうために、そのマイクロホンユニットを迂回した一部の音波は外耳道まで侵入することができたとしても、多くはマイクロホンユニットで遮られて外耳道にまで導くことができないので相手の音声が聞き取りにくいという難点があった。
そこで本考案は、電話の受話器から発せられる通話相手の音声を明瞭に録音でき、且つ受話器から発せられる音声などの周囲の音声を使用者が明瞭に聞き取ることが可能となる録音用耳付けマイクを提供することを目的とする。
【課題を解決するための手段】
【０００４】
本考案の録音用耳付けマイクの請求項１に係る考案は、耳介の外側と外耳道とを直通させて受話器からの音波を導く開口部を備えるととも耳に装着可能とした耳係止手段と、該耳係止手段に前記開口部を覆わないように設けられたマイク支持部とを一体的に形成し、前記マイク支持部にはマイク収納空間を設けて、前記マイク収納空間に電気コードを介して外部の録音機に回路接続可能としたマイク装置をマイク受音面が外側向になるように装着したことを特徴とする。
【０００５】
請求項２に係る考案は、上記請求項１に記載の考案において、前記耳係止手段が、外耳管内に先端部から差し込み可能とする筒状の外耳道挿入部の基部に外耳管の径よりも大きい径のフランジ部を一体的に形成した外耳道挿入型であることを特徴とする。
【０００６】
請求項３に係る考案は、上記請求項１に記載の考案において、前記耳係止手段が、耳朶上部の窪みに嵌合する形状に形成した耳朶上掛部に、耳介の外側と外耳道とが連通するように開口部を形成した耳朶上掛型であることを特徴とする。
【０００７】
請求項４に係る考案は、上記請求項１に記載の考案において、前記耳係止手段が、耳介の付け根を取り巻く輪状の耳掛け輪部を形成した耳掛け輪型であること特徴とする。
【０００８】
請求項５に係る考案は、上記考案において、前記耳係止手段及びマイク支持部を柔軟な樹脂材で一体的に形成したことを特徴とする。
【考案の効果】
【０００９】
本考案は、耳係止手段に設けられた開口部により、耳介の外側と外耳道とが障害物に邪魔されることなく直通して電話の受話器から発せられる耳介の外側の音声が直接的に鼓膜に到達する。このため、明瞭に電話の音声を聞き取ることができるようになる。
それと同時に、マイク受音面が発生源に近接する位置に配されるので、電話の受話器から発せられる小さな音声でも録音機に確実に録音することが可能となり、且つそのマイク受音面は口元に近接する位置となるので使用者の発した音声も確実に集音し録音することが可能となる。
そして、ポケットなどに身につけて持ち運べる携帯型録音機に本考案の録音用耳付けマイクを接続して使用すれば、商売上の交渉や仕事の打ち合わせなどでの会話の録音を、何時でも何処でも、交渉相手に警戒されずに行うことができる。そして後で音声を再生して会話内容を正確に確認できるので、記憶違いなどによる行き違いトラブルを防止することができるようになる。
【００１０】
また、耳への装着は、外耳道挿入型、耳朶上掛型及び耳掛け輪型などの耳係止手段が好みに応じて選択でき、いずれの形態であっても耳に対して簡単に着脱でき且つ外れることなく安定した状態で係止させることが可能となり、設けられた開口部により耳介の外側の音声が鼓膜まで何の障害もなく直接的に導かれ、その音声を明瞭に聞き取ることが可能となる。
【００１１】
さらに、前記耳係止手段及びマイク支持部を柔軟な樹脂で一体的に形成すれば、耳に装着している際に、肌に馴染みやすく違和感なく自然に装着できる。
【考案を実施するための最良の形態】
【００１２】
本考案の実施の形態を以下詳細に説明する。
本考案の録音用耳付けマイクは、図３に示すように、耳に装着可能な形状に形成した耳係止手段２に、電話の受話器からの音波の進行を妨害しないように耳介Ｍの外側と外耳管Ｈ内の空洞とを直通させた開口部４を形成する。
前記耳係止手段２には、前記開口部４を覆わないようにマイク支持部５を下方へ一体的に突設させて、そのマイク支持部５内にはマイク収納空間６を設ける。
そして、このマイク収納空間６にマイク装置１１をマイク受音面５が外側向きなるように収納し、このマイク装置１１にマイク受音面５で捕らえた音の電気信号を録音機８に送るための電気コード７を接続する。
この電気コード７は、図１に示すように、その先端に差込端子９を備えてその差込端子９を録音機８の接続孔１７へ差込めるようにする。このようにして前記マイク装置１１の回路は前記録音機８に接続される。
【００１３】
耳に装着可能な形状の前記耳係止手段２の形態は、外耳道挿入型（図１及び図３に示す）、耳朶上掛型（図４に示す）及び耳掛け輪型（図２及び図５に示す）などが可能である。
このような形態の耳係止手段３は、図３、図４及び図５に示すように、いずれも耳に対して簡単に外れることなく安定した状態で係止させることが可能となる。
そして、これらのいずれの耳係止手段２においても、耳介Ｍの外側の音声が直接的に鼓膜まで到達できように開口部４を形成することができる。
【００１４】
次に前記耳係止手段２が前記外耳道挿入型である形態について図に基づいてより詳細に説明する。
この形態では、図３に示すように、外耳管Ｈ内へ先端部から差し込み可能とする筒状の外耳道挿入部１２の基部に外耳管Ｈの径よりも大きい径のフランジ部１３が一体的に形成され、外耳管Ｈに差込むことで耳に装着可能となる形状となっている。
前記外耳道挿入部１２には、電話の受話器からの音波の進行を妨害しないように耳介Ｍの外側と外耳管Ｈ内の空洞とを連通させた筒状の開口部４を形成する。
そして、前記フランジ部１３には前記開口部４を覆わないように肉厚のマイク支持部３を下方へ一体的に突設して、そのマイク支持部３内にマイク収納空間６を形成する。
このマイク収納空間６にマイク装置１１をマイク受音面５が外側向きなるように収納し、そのマイク受音面５の外面を保護のための通音網１０で覆う。そしてこのマイク装置１１にマイク受音面５で捕らえた音の電気信号を録音機８に送るための電気コード７を接続する。
この外耳道挿入型の耳係止手段２の形態では、前記開口部４が障害物なく外部に直通されているので電話の受話器から発せられる音声が直進して鼓膜Ｋまで到達し、その音声を明瞭に聞き取ることが可能となる。
【００１５】
なお、前記録音機８には、図１に示すように、液晶表示部１９、操作ボタン２０、巻き戻ボタン２１、早送りボタン２２、音量調節ツマミ２３、スピーカ２４、電源ランプ２５、電源ボタン２６、接続孔１７、接続孔１８などが備わり、それらの操作部分で前記録音機８に備わっている各種機能の操作が可能となっている。
【００１６】
次に前記耳係止手段２が耳朶上掛型の形態を説明する。
この形態では、図４に示すように、耳朶上掛部１５に耳朶Ｎの上部の窪み部分に嵌合する形状の掛止部１４を形成する。そしてこの耳朶上掛部１５には耳介Ｍの外側と外耳道Ｈとが直通するように開口部４を形成する。
前記耳朶上掛部１５には前記開口部４を覆わないように肉厚のマイク支持部３を下方へ一体的に突設して、そのマイク支持部３内にマイク収納空間６を形成する。
このマイク収納空間６にマイク装置１１をマイク受音面５が外側向きなるように収納し、そのマイク受音面５の外面を保護のための通音網１０で覆い、このマイク装置１１にマイク受音面５で捕らえた音の電気信号を録音機８に送るための電気コード７を接続する。
この耳朶上掛型の形態でも、前記開口部４が障害物なく外部に直通されているので電話の受話器から発せられる音声が直進して鼓膜Ｋまで到達し、その音声を明瞭に聞き取ることが可能となる。
【００１７】
次に前記耳係止手段２が耳掛け輪型の形態を説明する。
この耳掛け輪型では、図２及び図５に示すように、前記耳係止手段２を、耳介Ｍの付け根を取り巻く輪状の耳掛け輪部１６に形成し、この耳掛け輪部１６に輪の内側にむけて外耳管Ｈの開口部を避けた位置に突出させて肉厚のマイク支持部３を一体的に設ける。そしてそのマイク支持部３内にマイク収納空間６を形成する。
このマイク収納空間６にマイク装置１１をマイク受音面５が外側向きなるように収納し、そのマイク受音面５の外面を保護のための通音網１０で覆い、このマイク装置１１にマイク受音面５で捕らえた音の電気信号を録音機８に送るための電気コード７を接続する。
この耳掛け輪型の形態でも、前記開口部４が障害物なく外部に直通されているので電話の受話器から発せられる音声が直進して鼓膜Ｋまで到達し、その音声を明瞭に聞き取ることが可能となる。
【００１８】
また、上記各種形態の耳係止手段２とそれに突設されるマイク支持部３とは、柔軟な樹脂で一体的に形成すれば、耳に装着したときに肌に馴染みやすく、違和感なく自然な装着が可能となる。
【産業上の利用可能性】
【００１９】
本考案は、携帯用などの録音機に接続して、電話の受話器から発せられる音声を集音すると同時に耳に付けたとき電話の音声が明瞭に聞き取れるようにしたものであるが、通常の会話など耳で聞こえた音声は全て録音することができるので、電話をしていない場合での商売の交渉や、打ち合わせなどの記録においても使用することが可能である。
【図面の簡単な説明】
【００２０】
【図１】本考案の斜視図である。
【図２】耳係止手段が耳掛け輪部を有する形態の斜視図である。
【図３】耳係止手段が外耳管挿入部を有する形態の使用状態を示す縦断斜視図である。
【図４】耳係止手段が耳朶上掛部を有する形態の使用状態を示す縦断斜視図である。
【図５】耳係止手段が耳掛け輪部を有する形態の使用状態を示す縦断斜視図である。
【符号の説明】
【００２１】
１    耳付けマイク
２    耳係止手段
３    マイク支持部
４    開口部
５    マイク受音面
６    マイク収納空間
７    コード
８    録音機
９    差込端子
１０    通音網
１１    マイク装置
１２    外耳管挿入部
１３    フランジ部
１４    掛止部
１５    耳朶上掛部
１６    耳掛け輪部
１７    接続孔
１８    接続孔
１９    液晶表示部
２０    操作ボタン
２１    巻き戻ボタン
２２    早送りボタン
２３    音量調節ツマミ
２４    スピーカ
２５    電源ランプ
２６    電源ボタン
Ｈ    外耳管
Ｋ    鼓膜
Ｍ    耳介
Ｎ    耳朶
【図１】
0003135384.tif 000003
【図２】
0003135384.tif 000004
【図３】
0003135384.tif 000005
【図４】
0003135384.tif 000006
【図５】
0003135384.tif 000007